(57)【特許請求の範囲】
【請求項１】
被写体を映す鏡部と、その鏡部の左右両側に設けた照明装置と、を備えた照明付器具であって、前記照明装置は、前記鏡部前の前記被写体を照射し、上側照明部は、前記鏡部の上側領域に映る前記被写体を照射し、下側照明部は、前記鏡部の下側領域に映る前記被写体を照射し、前記上側照明部が、前記下側照明部より照度が高く、前記被写体の鉛直面照度を測定する照度センサと、前記照度センサの結果に応じて前記上側照明部および前記下側照明部の照度を変更する照度調整制御部と、を設けたことを特徴とする照明付器具。
【請求項２】
前記上側照明部が前記被写体を照射する位置の高さは、左右両側の前記照明装置において同じ高さであり、前記下側照明部が前記被写体を照射する位置の高さは、左右両側の前記照明装置において同じ高さであることを特徴とする請求項１に記載の照明付器具。
【請求項３】
前記上側照明部が前記被写体を照射する照度は、左右両側の照明装置において同じ照度であり、前記下側照明部が前記被写体を照射する照度は、左右両側の照明装置において同じ照度であることを特徴とする請求項１また２に記載の照明付器具。
【請求項４】
前記被写体の身長を検知する身長センサと、前記身長センサの検知結果に応じて前記照明装置の高さを変更する照射位置高さ調整制御部と、を設けたことを特徴とする請求項１ないし３のいずれか一項に記載の照明付器具。
【請求項５】
前記上側照明部が前記被写体を照射する照度と、前記下側照明部が前記被写体を照射する照度と、の比は、１．１対１．０から５．０対１．０であることを特徴とする請求項１ないし４のいずれか一項に記載の照明付器具。
【発明の詳細な説明】
【技術分野】
【０００１】
本発明は、鏡に照明が備えられた照明付器具に関するものである。
【背景技術】
【０００２】
従来、洗面化粧台は、図１９のような、鏡部５０の上部に照明器具５１を設置した形態が多く、この形態の洗面化粧台の照明配光は、鏡部５０に映る使用者が効率良く明るく照射されるように発明されている。（特許文献１）
しかしながら、特許文献１に示される洗面化粧台は、使用者の化粧時等において、照明器具５１によって照射された使用者の手の影が使用者自身の顔に映るため、鏡部５０に映し出された使用者の顔にも影が映り、化粧等の作業性が悪化するという問題点がある。
【０００３】
そこで、図２０に示すような、洗面化粧台も知られている。（特許文献２）この洗面化粧台においては、鏡部５２の表面の左右両側に照明器具５３を設置することで、化粧時等において、照明器具５３によって照射された使用者の手の影が使用者自身の顔に映るため、鏡部５２に映し出された使用者の顔にも影が映り、化粧等の作業性が悪化する、というような問題点が改善された。
【先行技術文献】
【特許文献】
【０００４】
【特許文献１】特開２００３−７７３２８号公報
【特許文献２】特開平５−９１９３８号公報
【発明の概要】
【発明が解決しようとする課題】
【０００５】
しかし、光が左右から照射されるため、化粧行為時の作業者の手による影は生じさせ難いが、顔面全体に必要以上の照明がなされ、無駄なエネルギーを消費している。また、図２１に示すような住宅内を想定した空間において、全般照明５４と、連続調光機能付タスクライト５５と、卓上鏡５６と、を机５７に設置し、椅子に被験者５８を着座させた状態で所望の照度となるように調光して化粧を行ってもらい、被験者５８の顔面鉛直面照度を測定したところ、表１に示すような結果が得られた。
【０００６】
【表１】
0005691018.tif 000002
マスカラやアイシャドウといった目を含む顔面上半部と、口紅といった口を含む顔面下半分と、では、化粧の際に必要な照度が異なり、使用者が顔面下半分より顔面上半分により高い照度を求めることがわかった。
【０００７】
本発明は、上記背景技術に鑑みて発明されたもので、その課題は、配光を制御することで、化粧時における作業性を向上させ、使用者が明るさに満足しながら省エネルギーとなる照明付器具を提供することである。
【課題を解決するための手段】
【０００８】
上記課題を解決するために本発明の照明付器具では、被写体を映す鏡部と、その鏡部の左右両側に設けた照明装置と、を備えた照明付器具であって、照明装置は、鏡部前の被写体を照射し、上側照明部は、鏡部の上側領域に映る被写体を照射し、下側照明部は、鏡部の下側領域に映る被写体を照射し、上側照明部の方が、下側照明部より照度が高いことを特徴とする。
また、この照明付器具において、上側照明部が被写体を照射する位置の高さは、左右両側の照明装置において同じ高さであり、下側照明部が被写体を照射する位置の高さは、左右両側の照明装置において同じ高さであることが好ましい。
また、この照明付器具において、上側照明部が被写体を照射する照度は、左右両側の照明装置において同じ照度であり、下側照明部が被写体を照射する照度は、左右両側の照明装置において同じ照度であることが好ましい。
【０００９】
また、この照明付器具において、被写体の鉛直面照度を測定する照度センサと、
照度センサの結果に応じて上側照明部および下側照明部の照度を変更する照度調整制御部と、を設けたことが好ましい。
【００１０】
また、この照明付器具において、被写体の身長を検知する身長センサと、身長センサの検知結果に応じて照明装置の高さを変更する照射位置高さ調整制御部と、を設けたことが好ましい。
【００１１】
また、この照明付器具において、上側照明部が被写体を照射する照度と、下側照明部が被写体を照射する照度と、の比は、１．１対１．０から５．０対１．０であることが好ましい。
【発明の効果】
【００１２】
本発明の照明付器具において、上側照明部が、下側照明部より照度が高いことより、照明付器具は、被写体となる人物が鏡部前で化粧等の作業する際、作業する手によって生じる影を低減しながら、被写体の鉛直面照度を確保することで、従来よりも作用性を向上させ、省エネルギー化を図ることができる。
【図面の簡単な説明】
【００１３】
【図１】本発明の実施形態１に係る照明付器具の概略図である。
【図２】本発明の実施形態１に係る照明付器具を洗面化粧台に用いた概略図である。
【図３】本発明の実施形態２に係る照明付器具の概略図である。
【図４】本発明の実施形態３に係る照明付器具の概略図である。
【図５】本発明の実施形態４に係る照明付器具の概略図である。
【図６】本発明の実施形態５に係る照明付器具の概略図である。
【図７】本発明の実施形態６に係る照明付器具の概略図である。
【図８】本発明の実施形態７に係る照明付器具の概略図である。
【図９】本発明の実施形態７に係る照明付器具を洗面化粧台に用いた概略図である。
【図１０】本発明の実施形態８に係る照明付器具の概略図である。
【図１１】本発明の実施形態８に係る照明付器具を洗面化粧台に用いた概略図である。
【図１２】本発明の実施形態９に係る照明付器具の概略図である。
【図１３】本発明の実施形態９に係る照明付器具を洗面化粧台に用いた概略図である。
【図１４】実施形態９における身長センサ３０の構成図である。
【図１５】本発明の実施形態１０、１１に係る照明付器具の概略図である。
【図１６】本発明の実施形態１０、１１に係る照明付器具を洗面化粧台に用いた概略図である。
【図１７】実施形態１０における身長センサ３０の構成図である。
【図１８】実施形態１１における身長センサ３０の構成図である。
【図１９】従来１の化粧台に用いられる照明器具の正面図である。
【図２０】従来２の化粧台に用いられる照明器具の斜視図である。
【図２１】住宅内を想定した空間における実験条件下を示した上面図である。
【発明を実施するための形態】
【００１４】
（実施形態１）
図１は、本発明の実施形態１である照明付器具１を示している。照明付器具１は、被写体４を映す鏡部２と、その鏡部２の左右両側に設けた照明装置３と、を備えている。照明装置３は、鏡部２前の被写体４を照射し、上側照明部５は、鏡部２の上側領域６に映る被写体４を照射し、下側照明部７は、鏡部２の下側領域８に映る被写体４を照射する。また、上側照明部５の方が、下側照明部７より照度が高い。また。上側照明部５が被写体４を照射する位置の高さは、左右両側の照明装置３において同じ高さであり、下側照明部７が被写体４を照射する位置の高さは、左右両側の照明装置３において同じ高さである。そして、上側照明部５が被写体４を照射する照度は、左右両側の照明装置３において同じ照度であり、下側照明部７が被写体４を照射する照度は、左右両側の照明装置において同じ照度である。また、上側照明部５が被写体４を照射する照度と、下側照明部７が被写体４を照射する照度と、の比は、１．１対１．０から５．０対１．０である。
以下、本実施形態における照明付器具１について具体的詳細に説明する。
【００１５】
本実施形態の照明付器具１は、図１に示されるように、鏡部２は、左右両側に照明装置３を備えている。照明装置３の上側を上側照明部５とし、下側を下側照明部７とすると、上側照明部５は、鏡部２の上側領域６に映る被写体４を照射し、下側照明部７は、鏡部２の下側領域８に映る被写体４を照射する。これは、被写体４の顔９が鏡部２に全て映り込むように顔の中心を鏡部２の中心Xと合わせた時、鏡部２の上側領域６は、被写体４の顔９における目元付近１０を映し、鏡部２の下側領域８は、被写体４の顔９における口元付近１１を映す。また、上側照明部５の照射範囲は、目元付近１０を含み、下側照明部７の照射範囲は、口元付近１１を含む。
また、照明装置３には、左右それぞれに光源Aを備えていて、この光源Ａとしては、白熱電球やLED等を用いるが、特にこれらに限定されない。また、上側照明部５が、下側照明部７より照度が高くなることを実現するために、例えば、上側照明部５には、高出力な光源Aを備え、下側照明部７には、低出力な光源Aを備えることや、調光制御可能な光源Ａを備えること、が挙げられる。下側照明部７より上側照明部５の照度が高くなることを実現すれば、照明方法が大きく異ならない限り、光源Aの配置については、上記の手段に限定されない。
また、光源Aの数においても同様に、特に規定しない。
【００１６】
また、上側照明部５が被写体４を照射する位置高さは、左右両側に備えた照明装置３において同じである。同様に、下側照明部７が被写体４を照射する位置高さも、左右両側の照明装置３において同じである。
【００１７】
そして、上側照明部５における左右両側の照度は同等であり、下側照明部７においても左右両側の照度は同等である。
また、被写体４の顔９が鏡部２に全て映り込むように顔の中心を鏡部２の中心Xと合わせた時、鏡部２の上側領域６に映り込む目元付近１０を照らす鉛直面照度の方が、鏡部２の下側領域８に映り込む口元付近１１を照らす鉛直面照度より高くしている。上側照明部５が被写体４を照射する照度と、下側照明部７が被写体４を照射する照度と、の比は、１．１対１．０から５．０対１．０である。
表２の１には、表１の結果より、目元付近１０の照度が口元付近１１の照度より高いことを好む各被験者のデータ平均が示されている。また、表２の２には、口元付近１１の照度が目元付近１０の照度より高いことを好む各被験者のデータ平均が示されている。これより、目元付近１０を照らす鉛直面照度が１７４７ｌｘ、口元付近１１を照らす鉛直面照度が１０２８ｌｘである場合、多くの使用者が作業を行いやすいと感じていることがわかる。これより、目元付近１０を照らす鉛直面照度が口元付近１１を照らす鉛直面照度の約１．５倍となることが好ましく、目元付近１０を照らす鉛直面照度が１５００ｌｘ程度、口元付近１１を照らす鉛直面照度が１０００ｌｘ程度になることが好ましい。
【００１８】
【表２】
0005691018.tif 000003
また、照明付器具１は、図２に示すような化粧台１２に備えて使用することもできる。この化粧台１２は、キャビネット１３と鏡部２とを組み合わせて構成している。キャビネット１３は収納部１４を備え、その上部には天板１５が備えられている。キャビネット１３の前方には、使用者の脚部が収まるような脚部収容部１６が設けられている。また、天板１５の後方から立ち上がり部１７が上方に向けて突出していて、この立ち上がり部１７の前面に照明付器具１を設置している。
【００１９】
以上のように本実施形態によれば、照明付器具１は、被写体４を映す鏡部２と、その鏡部２の左右両側に設けた照明装置３と、を備え、鏡部２の上側領域６の方が、鏡部２の下側領域８より照度が高くなる。これより、使用者となる被写体４が鏡部２前で化粧等の作業する際、目元付近１０の化粧と口元付近１１の化粧とで異なる、必要な照度に対応することができる。また、被写体４が化粧等の作業をする手によって生じる影を低減しながら、被写体４の鉛直面照度を確保することで、従来よりも作用性を向上させ、省エネルギー化を図ることができる。
また、照明装置３が、光源Aを調光制御することによって、鏡部２の上側領域６の方が、鏡部２の下側領域８より照度が高くなる場合には、照明装置３として、出力の異なる光源Aを要せず、使用者の好みに応じて明るさを調節することができる。
（実施形態２）
図３は、本発明の実施形態２である照明付器具１を示す。
【００２０】
実施形態１と重複する構成についての、詳しい説明は省略する。実施形態２が実施形態１と異なる部分は、照明装置３が光源カバー２０を備えていることであり、その詳細を以下に説明する。
【００２１】
照明装置３は、上側照明部５が、下側照明部７より照度が高くなることを実現するために、光源カバー２０を備えている。光源カバー２０としては、ルーバーや拡散パネルが挙げられ、ルーバーでは、羽根板の角度によって調光し、拡散パネルでは、上側照明部５付近と下側照明部７付近の透光率を変えることで調光する。また、上側照明部５が、下側照明部７より照度が高くなることを実現すれば、光源Aの配置については、照明方法が大きく異ならない限り制約はない。また、光源Aの数においても同様に、特に規定しない。また、実施形態１と同様に、本実施形態の照明付器具１を化粧台１２に備えて使用してもよい。
【００２２】
以上のように、本実施形態によれば、照明装置３が光源カバー２０を備えることによって、鏡部２の上側領域６の方が、鏡部２の下側領域８より照度が高くなる。これより、調光機能を有する光源Aの制御を要せず、コストダウンを図ることができる。
【００２３】
（実施形態３）
図４は、本発明の実施形態３である照明付器具１を示す。
【００２４】
実施形態１と重複する構成についての、詳しい説明は省略する。実施形態３が実施形態１と異なる部分は、上側照明部５が、下側照明部７よりも多くの光源Ａを備えていることである。その詳細を以下に説明する。
【００２５】
照明装置３は、上側照明部５が、下側照明部７より照度が高くなることを実現するために、上側照明部５に、下側照明部７よりも多くの光源Ａを備えている。上側照明部５が、下側照明部７より照度が高くなることを実現すれば、光源Aの配置については、照明方法が大きく異ならない限り制約はない。また、光源Aの数も規定しない。また、上側照明部５は、左右両側において、光源Aの数は同等である。また、下側照明部７においても、同様に、光源Aの数は左右両側において、同等である。また、実施形態１と同様に、本実施形態の照明付器具１を化粧台１２に備えて使用してもよい。
【００２６】
以上のように、本実施形態によれば、上側照明部５が、下側照明部７よりも多くの光源Aを備えていることにより、鏡部２の上側領域６の方が、鏡部２の下側領域８より照度が高くなる。これより、拡散パネルやルーバー等を要さず、照度を調整することができるので、拡散パネル等にかかる費用、設置およびメンテナンス作業を低減することができる。
【００２７】
（実施形態４）
図５は、本発明の実施形態４である照明付器具１を示す。
【００２８】
実施形態１と重複する構成についての、詳しい説明は省略する。実施形態４が実施形態１と異なる部分は、上側照明部５のみに光源A設置していることである。その詳細を以下に説明する。
【００２９】
照明装置３は、上側照明部５に光源Aを少なくとも二個設置し、下側照明部７には光源Aを設置しない。このとき、照明装置３が拡散パネルのような光源カバーを有し、光源Ａを有さない下側照明部７が上側照明部５に設置した光源Ａの拡散光を照射する。また、上側照明部５に設置した光源Aは、光軸を傾けることで、下側照明部７の照度を調整してもよい。なお、光源Aは、二個以上であれば、光源Aの数は規定しない。また光源Aの配置については、照明手法が大きく異ならない限り、制約はない。また、実施形態１と同様に、本実施形態の照明付器具１を化粧台１２に備えて使用してもよい。
【００３０】
以上のように、本実施形態によれば、上側照明部５にのみに光源Aを有することで、光色の不一致、複数光源設置の不安定さを軽減することができる。
【００３１】
（実施形態５）
図６は、本発明の実施形態５である照明付器具１を示す。
【００３２】
実施形態１と重複する構成についての、詳しい説明は省略する。実施形態５が実施形態１と異なる部分は、鏡部２の鉛直面照度を測定する照度センサ２１と、照度センサ２１の結果に応じて上側照明部５および下側照明部７の照度を変更する照度調整制御部２２と、を設けていることである。その詳細を以下に説明する。
【００３３】
照明付器具１において、照度センサ２１は、鏡部２から被写体４に向けて、照度センサ２１を支持する支持棒１８が設置され、その先端には、照度センサ２１が設けられている。この照度センサ２１は、被写体４に向けて設置され、被写体４の鉛直面照度を測定する。そして、その測定した結果は、照度調整制御伝達線２３を通して照度調整制御部２２に伝えられ、そこから照射装置制御伝達線２４を通して、上側照明部５および下側照明部７に伝えられる。上側照明部５および下側照明部７の照度は、その結果に応じて、被写体４の周辺の明るさに適合するように調整される。
なお、照度センサ２１の設置位置に関しては、被写体４の鉛直面照度を測定できる範囲であれば限定されない。また、照度センサ２１が被写体４の鉛直面照度を推定する機能を有している場合、被写体４の鉛直面照度が測定できない時でも、被写体４がいる場所の周囲環境の明るさを測定し、鉛直面照度を推定する機能を有していれば、光源Aの照度調整を行うことができ、照度センサ２１の設置位置に制約はない。また、実施形態１と同様に、本実施形態の照明付器具１を化粧台１２に備えて使用してもよい。
【００３４】
以上のように、本実施形態によれば、照明装置３が照度センサ２１と照度調整制御部２２とを設けることで、被写体４や周辺環境の明るさが変わった場合でも、光源Aの照度を設定する作業を軽減することができる。
【００３５】
（実施形態６）
図７は、本発明の実施形態６である照明付器具１を示す。
実施形態５と重複する構成についての、詳しい説明は省略する。実施形態６が実施形態５と異なる部分は、照度センサ２１が、鏡部２に埋め込まれていることである。その詳細を以下に説明する。
【００３６】
照明付器具１において、照度センサ２１は、鏡部２の上側領域６に埋め込まれ、鏡部２に向かった被写体４の鉛直面照度を測定する。その測定した結果は、照度調整制御伝達線２３を通して照度調整制御部２２に伝えられ、そこから照射装置制御伝達線２４を通して、上側照明部５および下側照明部７に伝えられる。上側照明部５および下側照明部７の照度は、その結果に応じて、被写体４の周辺の明るさに適合するように調整される。なお、照度センサ２１、照度調整制御部２２の位置に関しては、使用者の作業の妨げにならない位置であれば、制約はない。また、実施形態１と同様に、本実施形態の照明付器具１を化粧台１２に備えて使用してもよい。
【００３７】
以上のように、本実施形態によれば照度センサ２１が鏡部２の上側領域６に埋め込まれていることで、照度センサ２１のスペースを低減することができる。
【００３８】
（実施形態７）
図８、９は、本発明の実施形態７である照明付器具１を示す。
実施形態１と重複する構成についての、詳しい説明は省略する。実施形態７が実施形態１と異なる部分は、身長を入力する身長入力部２５を備えていることである。その詳細を以下に説明する。
【００３９】
図８に示すように、照明付器具１において、被写体４となる使用者の身長を入力する身長入力部２５を備え、上側照明部５および下側照明部７が被写体４を照射する照射位置高さは、身長入力部２５に入力された結果に応じて変更される。この被写体４を照射する照射位置高さは、身長入力部２５に入力された値が照射位置高さ調整制御伝達線２６を通じて、照射位置高さ制御部２７に伝えられる。そこから、照射位置高さ制御伝達線２８を通じて、照明装置３が被写体４を照射する高さが調整される。例えば、本実施形態の照明付器具１が化粧台１２に用いられた場合、図９に示すようになる。立ち上がり部１７の前面に走行受部２９が配されていて、この走行受部２９は、照明付器具１の背部に設けられた走行部（図示せず）と係合する。これより、照明付器具１は、モーター等の駆動機構を備え、自動でスライド移動し、一定位置へ移動することができる。
【００４０】
以上のように、本実施形態によれば、身長入力部２５と照射位置高さ制御部２７を備えることで、使用者となる被写体４に合わせて、的確な照射を行うことができる。
【００４１】
（実施形態８）
図１０、１１は、本発明の実施形態８である照明付器具１を示す。
上記実施形態７と重複する構成についての詳しい説明は省略する。実施形態８が実施形態７と異なる部分は、鏡部２は固定されていて、その両側に備えられた照明装置３が移動することである。
【００４２】
図１０に示すように、照明付器具１において、鏡部２の両側に備えられた照明装置３は、鏡部２の高さ範囲内で移動することができる。例えば、図１１に示すように、化粧台１２として、照明付器具１が用いられた場合、鏡部２の側面に走行受部２９が配されていて、この走行受部２９は、照明装置３の側部に設けられた走行部（図示せず）と係合する。これより、照明装置３は、モーター等の駆動機構を備え、スライド移動し、鏡部２の高さの範囲内で一定位置へ移動することができる。
【００４３】
以上のように、本実施形態によれば、身長入力部２５に入力された被写体４の身長に応じて、照明装置３の高さのみを変更することができるので、照明装置３における照度を簡易に変更することができる。
【００４４】
（実施形態９）
図１２、１３は、本発明の実施形態９である照明付器具１を示す。
【００４５】
上記実施形態７と重複する構成についての詳しい説明は省略する。実施形態９が実施形態７と異なる部分は、身長センサ３０の検知結果が、照射位置高さ制御部２７に入力され、照明付器具１が移動することである。
【００４６】
照明付器具１において、鏡部２の上側領域６に身長センサ３０が埋め込まれ、その検知結果は、照射位置高さ制御部２７に入力される。身長センサ３０は、アクティブセンサであり、このアクティブセンサの構成は図１４に示す。決められた立ち位置内において、センサの検知範囲内に被写体４となる使用者がいる場合、人検知部３２で被写体４を検知し、身長センサ３０から発射された媒体が被写体の頭部３１に反射した反射波を受光部３３によって受光し、測距センサ３４にて被写体４の頭部までの距離を検出することで、被写体４の身長を測定する。そして、測定した検知結果は、照射位置高さ調整制御伝達線２６を通して、照射位置高さ制御部２７に伝えられる。そこから、照射位置高さ制御伝達線２８を通して、上側照明部５および下側照明部７に伝えられ、上側照明部５および下側照明部７が被写体４を照射する高さは、検知結果によって調整される。なお、身長センサ３０の位置に関しては、使用者の作業の妨げにならない位置であれば、制約はない。
身長センサ３０の種類には、超音波や、赤外線、可視光通信、電波などが挙げられるが、身長が測定でき、かつ、使用者の作業の妨げや照明装置３の不具合を生じさせない限り、身長センサ３０の種類に規定はない。また、身長センサ３０の設置位置に関しては、使用者の作業の妨げにならない位置であれば、制約はないが、決められた立ち位置内を照射できる設置位置であることとする。
また、本実施形態の照明付器具１が化粧台１２に用いられた場合、図１３に示すようになる。立ち上がり部１７の前面に走行受部２９が配されていて、この走行受部２９は、照明付器具１の背部に設けられた走行部（図示せず）と係合する。これより、照明装置３は、モーター等の駆動機構を備え、スライド移動し、一定位置へ移動することができる。
【００４７】
以上のように、本実施形態によれば、被写体４の身長が自動的に身長センサ３０で感知されるため、被写体４となる使用者が身長を入力する作業を省くことができる。
【００４８】
（実施形態１０）
図１５、１６は、本発明の実施形態１０である照明付器具１を示す。
上記実施形態９と重複する構成についての詳しい説明は省略する。実施形態１０が実施形態９と異なる部分は、一方の身長センサ３０は、アクティブセンサで、他方の身長センサ３０は、パッシブセンサであることである。
照明付器具１において、鏡部２は、身長センサ３０を備え、その検知結果は、照射位置高さ制御部２７に入力される。二つの身長センサ３０は、図１７に示すように、一方は、アクティブセンサで、他方は、パッシブセンサである。
センサの検知範囲内に使用者がいる場合、アクティブセンサは、人検知部３２で被写体４を検知し、身長センサ３０から発射された媒体が被写体の頭部３１に反射した反射波を受光部３３によって受光し、測距センサ３４にて被写体４の頭部までの距離を検出することで、被写体４の身長を測定する。
パッシブセンサは、人検知部３２で被写体４を検知し、画像センサ３５より被写体４の画像情報を取得し、取得された画像データから、被写体４の頭部３１を抽出することによって、被写体４の頭部３１までの距離と、頭部３１が存在する方向と、から被写体４の身長を測定する。
これらのセンサから測定した検知結果は、照射位置高さ調整制御伝達線２６を通して、照射位置高さ制御部２７に伝えられる。そこから、検知結果は、照射位置高さ制御伝達線２８を通して、上側照明部５および下側照明部７に伝えられ、上側照明部５および下側照明部７が被写体４を照射する高さは、検知結果によって調整される。身長センサ３０の種類には、超音波や、赤外線、可視光通信、電波などが挙げられる。また、身長センサ３０の設置位置に関しては、使用者の作業の妨げにならない位置であれば、制約はないが、決められた立ち位置内を照射できる設置位置であることとする。
また、本実施形態の照明付器具１が化粧台１２に用いられた場合、図１６に示すようになる。立ち上がり部１７の前面に走行受部２９が配されていて、この走行受部２９は、照明付器具１の背部に設けられた走行部（図示せず）と係合する。これより、照明付器具１は、モーター等の駆動機構を備え、スライド移動し、一定位置へ移動することができる。
以上のように、本実施形態によれば、身長センサ３０は、アクティブセンサに加え、さらにパッシブセンサを備えることで、被写体４の立ち位置をより正確に把握することができる。
（実施形態１１）
図１８は、本発明の実施形態１１である照明付器具１を示す。
上記実施形態１０と重複する構成についての詳しい説明は省略するが、図１５、図１６に示す通りである。実施形態１１が実施形態１０と異なる部分は、二つ身長センサ３０は、それぞれパッシブセンサで構成されていることである。
照明付器具１において、鏡部２は、身長センサ３０を備え、その検知結果は、照射位置高さ制御部２７に入力される。二つの身長センサ３０は、図１８に示すように、二つのパッシブセンサから構成される。パッシブセンサは、人検知部３２で被写体４を検知し、画像センサ３５より被写体４の画像情報を取得し、取得された画像データから、被写体４の頭部３１を抽出することによって、被写体４の頭部３１までの距離と、頭部３１が存在する方向と、から被写体４の身長を測定する。この検知結果は、照射位置高さ調整制御伝達線２６を通して、照射位置高さ制御部２７に伝えられる。身長センサ３０の種類には、超音波や、赤外線、可視光通信、電波などが挙げられるが、身長が測定でき、かつ、使用者の作業の妨げや照明装置３の不具合を生じさせない限り、身長センサ３０の種類に規定はない。また、身長センサ３０の位置に関しては、使用者の作業の妨げにならない位置であれば、制約はないが、決められた立ち位置内を照射できる設置位置であることとする。
また、本実施形態の照明付器具１が化粧台１２に用いられた場合、図１６に示すようになる。立ち上がり部１７の前面に走行受部２９が配されていて、この走行受部２９は、照明付器具１の背部に設けられた走行部と係合する。これより、照明装置３は、モーター等の駆動機構を備え、スライド移動し、一定位置へ移動することができる。
以上のように、本実施形態によれば、身長センサ３０は、アクティブセンサを必要としないことから、使用エネルギーの低減を図ることができる。
【符号の説明】
【００４９】
１  照明付器具
２  鏡部
３  照明装置
４  被写体
５  上側照明部
６  上側領域
７  下側照明部
８  下側領域
９  顔
１０  目元付近
１１  口元付近
Ａ  光源
Ｘ  中心
【図１】
0005691018.tif 000004
【図２】
0005691018.tif 000005
【図３】
0005691018.tif 000006
【図４】
0005691018.tif 000007
【図５】
0005691018.tif 000008
【図６】
0005691018.tif 000009
【図７】
0005691018.tif 000010
【図８】
0005691018.tif 000011
【図９】
0005691018.tif 000012
【図１０】
0005691018.tif 000013
【図１１】
0005691018.tif 000014
【図１２】
0005691018.tif 000015
【図１３】
0005691018.tif 000016
【図１４】
0005691018.tif 000017
【図１５】
0005691018.tif 000018
【図１６】
0005691018.tif 000019
【図１７】
0005691018.tif 000020
【図１８】
0005691018.tif 000021
【図１９】
0005691018.tif 000022
【図２０】
0005691018.tif 000023
【図２１】
0005691018.tif 000024